(57)【特許請求の範囲】
【請求項１】
小便器と、この小便器の背面に設けられたバックボードとを備え、複数並べて施工することのできるバックボード付き小便器であって、前記小便器が、外郭部と、この外郭部と一体の前面に開口する小便受け用ボウル部とを備え、前記外郭部と、前記小便受け用ボウル部と、前記バックボードが合成樹脂により一体に形成されており、前記バックボードは、隣り合う他のバックボードの端縁に突き合わせる端縁を有することを特徴とするバックボード付き小便器。
【発明の詳細な説明】
【技術分野】
【０００１】
本発明は、バックボード付き小便器に関するものである。
【背景技術】
【０００２】
特許文献１には、陶器製のボウルを覆う外郭にバックボードを一体化したバックボード付き便器用外郭が開示されている。
【０００３】
この特許文献１に示されたバックボード付き便器用外郭は、便器の外観形状を構成するための外郭と、この外郭の背面に設けるバックボードとをＦＲＰ等で一体に形成して構成される。
【０００４】
外郭には上方及び背方に開口するボウル内装用の空所が形成され、空所内に外郭とは別体の陶器製のボウルが嵌め込まれて便器が構成される。
【先行技術文献】
【特許文献】
【０００５】
【特許文献１】実開昭６４−０２４１８２号公報
【発明の概要】
【発明が解決しようとする課題】
【０００６】
しかしながら、従来技術は、外郭内に外郭とは別体のボウルが嵌め込まれて便器が構成されるので、外郭とボウルとの境界の隙間に尿が入り込んで付着し、更に、付着した尿に埃が付着して固化するおそれがある。
【０００７】
この外郭とボウルとの境界の隙間は掃除がし難いので、境界の隙間に付着した尿、埃が除去し難く、長期間の使用によりこの境界部分が変色し、また、臭気の発生源になるおそれがある。
【０００８】
また、外郭及びバックボードの一体物と、ボウルとの材料が異なるため、材質の違いが外観され、外観が損なわれる。
【０００９】
また、外郭にボウルを嵌め込んで施工するので、外郭にボウルを嵌め込んで位置決め固定する作業と、バックボードを固定枠を介して建築物の壁などへの固定作業とが必要で、施工性が劣るという問題がある。
【００１０】
本発明は、上記の点に鑑みて発明したもので、ボウル部と外郭部との境界部分及び外郭部とバックボード部との境界部分の掃除がしやすく、全体の一体感があり、施工性に優れたバックボード付き小便器を提供するにある。
【課題を解決するための手段】
【００１１】
本発明のバックボード付き小便器は、小便器と、この小便器の背面に設けられたバックボードとを備え、複数並べて施工することのできるバックボード付き小便器であって、前記小便器が、外郭部と、この外郭部と一体の前面に開口する小便受け用ボウル部とを備え、前記外郭部と、前記小便受け用ボウル部と、前記バックボードが合成樹脂により一体に形成されており、前記バックボードは、隣り合う他のバックボードの端縁に突き合わせる端縁を有することを特徴とする。
【発明の効果】
【００１２】
本発明は、小便時に、小便受け用ボウル部から外に尿が飛散して小便受け用ボウル部と外郭部との境界部分や外郭部とバックボードとの境界部分に付着しても、各部位の境界部分に隙間が存在せず、容易に掃除することが可能となる。また、外郭部と小便受け用ボウル部とバックボードが合成樹脂により一体に形成されているので、全体の一体感があり、外観を向上できる。また、外郭部と小便受け用ボウル部とバックボードが一体に形成されているので、バックボード部を建築物の壁などに固定することで、施工を簡単に行うことが可能となる。
【図面の簡単な説明】
【００１３】
【図１】本発明のバックボード付き小便器の一実施形態の斜視図である。
【図２】同上のバックボード付き小便器を横方向に複数並設した状態を示す斜視図である。
【発明を実施するための形態】
【００１４】
以下、本発明を添付図面に示す実施形態に基づいて説明する。
【００１５】
図１には小便器１の背面にバックボード２を設けたバックボード２付き小便器１の一実施形態が示されている。
【００１６】
小便器１は、小便器１の外郭となる外郭部３と、外郭部３に囲まれた部分に形成される小便を受けるための小便受け用ボウル部４とを備える。
【００１７】
外郭部３は、縦長形状をしている。また、図の実施形態では、外郭部３は、側面視で下部が前方に突出する形状をしている。
【００１８】
この外郭部３の前面には、大きく開口した前開口部５が形成され、この前開口部５から奥に向けて小便受け用ボウル部４となる凹部が形成されている。小便受け用ボウル部４となる凹部の底部には、図示を省略しているが排水口が形成される。
【００１９】
外郭部３の背面にはバックボード２が設けられる。このバックボード２は、外形形状が前面側から見て長方形又は正方形状をしている。図１の実施形態では、バックボード２は板状をしていて上下左右端がいずれも外郭部３の後端の上下左右端より上方、下方、左側方、右側方に突出するように形成されている。
【００２０】
外郭部３と、小便受け用ボウル部４と、バックボード２が合成樹脂により一体成形されて、一体に形成されている。
【００２１】
つまり、外郭部３と小便受け用ボウル部４は両者の境界部分（つまり前開口部５の開口周縁部付近が境界部分である）で一体に連続し、外郭部３とバックボード２との境界部分（つまり外郭部３とバックボード２とのなすコーナ部分６）で両者は一体に連続する。
【００２２】
このため、外郭部３と小便受け用ボウル部４の境界部分、外郭部３とバックボード２との境界部分にはいずれも境界の隙間が存在しない。
【００２３】
バックボード２には複数の釘打部７が形成され、この釘打部７には着脱自在な目隠しキャップ８が取付けられる。
【００２４】
なお、バックボード２には必要に応じて灰皿部１０や、利用者の小物を吊下げるための小物吊り用突部１１等を設けてもよい。灰皿部１０や小物吊り用突部１１はバックボード２と一体に形成してもよいが、別体の灰皿部１０や小物吊り用突部１１を固着手段でバックボード２に固着してもよい。
【００２５】
上記の構成のバックボード２付き小便器１は、建築物の壁又は壁下地にバックボード２を当て、釘打部７で釘により固着することで、施工され、目隠しキャップ８を取付けて釘の頭部が隠される。
【００２６】
また、バックボード２付き小便器１を壁又は壁下地に施工する際、小便受け用ボウル部４に設けた排出口に壁内に配置される排出管が接続される。
【００２７】
施工に当って上記のように外郭部３と小便受け用ボウル部４を一体に形成したバックボード２を釘打で壁に固定することで、バックボード２の固定で同時に外郭部３と小便受け用ボウル部４の施工ができ、施工が容易となる。更に、この場合、バックボード２の下端を床に設置するように施工すると、外郭部３の下端部を簡単且つ正確に設計通りの高さにすることができ、施工がいっそう容易となる。
【００２８】
また、個人の住宅に使用する場合は、バックボード２付き小便器１は単体で使用するが、公共施設、ホテル、レストラン、学校のように複数のバックボード２付き小便器１が必要な場所は、図２に示されるようにバックボード２付き小便器１を複数並べて施工する。
【００２９】
この場合、図２に示されるように隣合うバックボード２の側端同士を突き合わせて施工して隣合うバックボード２同士が面一に連続するように施工するのが好ましい。
【００３０】
本実施形態では、外郭部３と、小便受け用ボウル部４と、バックボード２が合成樹脂により一体に形成されているので、各部位の境界部分に隙間が存在せず、容易に掃除することが可能となる。
【００３１】
したがって、従来のように各部位の境界部分の隙間に尿が付着しても掃除がし難く、隙間に付着した尿に埃が固着し、長期間の使用において、境界部分が変色したり、あるいは、臭気の発生源になるといったことがない。
【００３２】
また、外郭部３と、小便受け用ボウル部４と、バックボード２が同じ材質で一体に形成されるので、全体の一体感がよくなる。
【符号の説明】
【００３３】
１  小便器
２  バックボード
３  外郭部
４  小便受け用ボウル部
【図１】
0005906468.tif 000002
【図２】
0005906468.tif 000003